(57)【要約】  シラミ寄生症の治療のための櫛であって、把持柄と、毛髪に存在するシラミおよび卵を捕らえて引きずるよう意図された複数の歯とを含み、歯は、前記柄で保持された近位端と、自由な遠位端とを有し、前記歯は、第１の複数の歯と第２の複数の歯とに区別され、第１の複数の歯は第２の複数の歯と交互になっており、前記第１の複数の歯は前記第２の複数の歯よりも長く、そのため、第１の複数の歯の遠位端は前記第２の複数の歯の遠位端を越えて突出する。
2020534114.tif 000002
【特許請求の範囲】
【請求項１】
複数の歯が突出する把持柄を含む種類の、シラミ寄生症の治療のための櫛であって、前記櫛は、
前記歯が、前記柄で保持された近位端と、自由な遠位端とを有し、前記歯は、第１の複数の歯と第２の複数の歯とに区別され、第１の複数の歯は第２の複数の歯と交互になっており、前記第１の複数の歯は前記第２の複数の歯よりも長く、そのため、第１の複数の歯の遠位端は第２の複数の歯の遠位端を越えて突出することを特徴とする、櫛。
【請求項２】
前記第１および第２の複数の歯は、尖っていない遠位端を有することを特徴とする、請求項１に記載の櫛。
【請求項３】
前記第１の複数の歯は、丸みを帯びた挿入物で仕上げられた遠位端を有することを特徴とする、請求項２に記載の櫛。
【請求項４】
前記丸みを帯びた挿入物は、プラスチック、ポリマー、樹脂、またはセラミックから選択された材料の挿入物であることを特徴とする、請求項２に記載の櫛。
【請求項５】
前記歯には、毛髪に存在するシラミおよび卵を保持して引きずるための凹凸手段が設けられることを特徴とする、先行する請求項のいずれか１項に記載の櫛。
【請求項６】
前記凹凸手段は、前記歯の各々の少なくとも１つの長手方向断面の表面上に規定された複数の連続する溝または谷によって形成されることを特徴とする、請求項５に記載の櫛。
【請求項７】
前記歯は、０．０５ｍｍ〜０．２ｍｍの距離だけ離隔されることを特徴とする、請求項５または６に記載の櫛。
【請求項８】
前記溝は、歯の周りで円周方向に延在し、互いから０．５ｍｍ〜４ｍｍの距離だけ離隔されることを特徴とする、請求項７に記載の櫛。
【請求項９】
前記溝は、歯の周りで螺旋状に延在し、前記螺旋の通路は、０．５ｍｍ〜４ｍｍの寸法を有することを特徴とする、請求項７に記載の櫛。
【発明の詳細な説明】
【技術分野】
【０００１】
発明の技術の状態
発明の分野
本発明は毛髪の清浄に関し、より特定的には、毛髪に付着するシラミからの卵を除去する目的でシラミ寄生症の治療のために使用される装置に関する。さらにより特定的には、この発明は、損傷、怪我、床ずれなどを有し得る頭皮でも櫛が使用されることを可能にする歯または針の配置および構成を有し、歯の構成は、毛髪を傷めることなく、公知の装置および櫛に比べて、歯の製造をより経済的にしつつ、毛髪からのシラミおよび卵の除去をより効果的に可能にする効率を保つ、シラミ寄生症の治療のための新しい櫛に言及する。
【背景技術】
【０００２】
先行技術の説明
シラミ寄生症は、あらゆる種類の社会の数えきれないほど多くの個人に影響を及ぼし、生徒人口において障害を表わす問題である。なぜなら、学齢期の子供たちは、登校する教育機関で友達と接触する際にシラミ寄生症に容易に罹患するためである。
【０００３】
アタマジラミは毛髪に住み着き、よく知られている卵、すなわち、より一般的にはシラミとして知られているヒトジラミ（Pedeculus humanus）、恥毛ジラミ（Phtirius pubis）および同様の種の卵を、そこに産み付ける。
【０００４】
この感染症の治療のために、多くの化学化合物のみならず、多くの櫛が開発されてきた。これらの櫛は、シラミおよび卵を除去することによってこれを治療するよう意図されているため、化学薬品を適用する場合に起こり得るような副作用を引き起こさない。複数の歯またはスチールワイヤが取り付けられた柄を含むさまざまな櫛設計があり、これに付着するあらゆるもの、特に卵が櫛の歯の間で保持されるように、隣接する歯の間を毛髪だけがきつく通過することを可能にするために、歯の離隔が研究されている。このため、患者の毛髪全体に櫛を通すことは、できるだけ多くの卵の除去を達成することを可能にする。
【発明の概要】
【発明が解決しようとする課題】
【０００５】
卵をよりうまく除去する目標を最も効果的に達成した櫛のうちの１つは、アルゼンチン特許ＡＲ  ０３２７５  Ｂ１、およびその米国対応特許第５，８７３，３７４号に開示されたものである。それらは双方とも、本発明の所有者によって所有されており、請求項により具体的に定義されるように、その周囲面上に凹凸を有する針を有する清浄櫛であって、柄と、複数の好ましくはスチールの歯、ワイヤまたは針とを含み、各針は、柄に取り付けられた端と、当接端（attacking end）と、周囲面とを有し、各針の当接端は丸みを帯びた尖った先を有する、清浄櫛を記載している。これらの特許の概念によれば、先行技術に対するこの櫛の新規性は、各針の周囲面に、毛髪に付着する卵を捕らえて引きずるように設計された凹凸が設けられるということである。櫛はまた、隣接する針間の距離が５０μｍ〜１００μｍ、各針の全長が４０〜８０ｍｍの範囲、および、柄の外側の有用な長さが２０〜６０ｍｍの範囲にあるといった、他の特徴を有する。
【０００６】
アルゼンチン特許ＡＲ  ０３２７５  Ｂ１、およびその米国対応特許で言及された、凹凸という特徴は好ましくは、たとえば４ｍｍよりも狭い通路を有する螺旋溝を設けることに基づく。この凹凸は、互いからの距離が０．５〜３ｍｍである円周方向溝によっても形成可能であり、これらの通路は深さが０．２ｍｍ未満であってもよい。
【０００７】
加えて、この公知の櫛は、それがスチール製で、針の数が１０〜１００個、より正確には３３個であること、および、針の当接縁同士が湾曲した縁を形成することといった、他の特徴を有する。
【０００８】
加えて、歯または針は、柄で保持された近位端を有しており、前記前縁上ですべて整列されて終わっているそれらの遠位端は、毛髪を傷めないように、そして同時に、毛髪が歯または針の間の空間に入ることを可能にするように、丸みを帯びた尖った先細の形状で精巧に仕上げられなければならない。さまざまな手法を通して行なわれ得るこの滑らかな仕上げは常に、櫛を製造する総コストにおいて著しいコストをもたらす。この結果、これらの櫛は必ずしもすべての社会にとって手の届くものであるとは限らない。
【０００９】
毛髪が歯の間の空間に入ることを容易にするように先細の端で終わる歯または細い針を有する公知の櫛は、場合によっては効率的であることが証明されてきたが、患者またはユーザの頭皮がたとえば床ずれなどで弱るといった何らかの理由で傷んでいる場合、これらの櫛を使用することはできない。なぜなら、それらの先が頭皮をさらに傷めるためである。
【００１０】
前述の事項に鑑み、本発明の発明者らは、従来の針または滑らかな歯を有する櫛であろうと、凹凸手段を有する上述の特許の櫛であろうと、この種の櫛を改良して、シラミおよび卵の除去の効率および有効性ならびに毛髪の清浄に影響を及ぼすことなく、傷んだ頭皮でも使用可能であり、製造がより経済的である櫛を得ることに着手した。
【課題を解決するための手段】
【００１１】
発明の簡単な説明
したがって、本発明の目的は、毛髪または頭皮に損傷をもたらすことなく、シラミ、卵、および汚れを保持し、捕らえて引きずることができる針、歯またはワイヤを含み、前記針または歯は、異なる長さの少なくとも２種類の針または歯を含む、シラミ寄生症の治療のための新しい櫛を提供することである。
【００１２】
本発明のさらに別の目的は、歯の遠位端での長さを交互にする構成によって、歯の間の離隔空間に容易に入る毛髪に付着する卵および異物の効果的な除去を保証する、シラミ寄生症の治療のための新しい櫛を提供することである。
【００１３】
本発明のさらに別の目的は、複数の歯が突出する把持柄を含む種類の、シラミ寄生症の治療のための櫛であって、前記歯は、前記柄で保持された近位端と、自由な遠位端とを有し、前記歯は、第１の複数の歯と第２の複数の歯とに区別され、第１の複数の歯は第２の複数の歯と交互になっており、前記第１の複数の歯は前記第２の複数の歯よりも長く、そのため、第１の複数の歯の遠位端は第２の複数の歯の遠位端を越えて突出する、櫛を提供することである。
【００１４】
本発明のさらに別の目的は、把持柄と、異なる交互の長さの複数の歯とを含み、歯には、毛髪に存在するシラミおよび卵を捕らえて引きずるために意図された、連続する溝または谷などの凹凸手段が設けられ得る、シラミ寄生症の治療のための櫛を提供することである。
【００１５】
図面の簡単な説明
この発明の主題の明瞭性および理解のために、それをいくつかの図面に示す。図面では、この発明は単なる例として、好ましい表現形態のうちの１つにおいて示されている。
【図面の簡単な説明】
【００１６】
【図１】ともに本出願人らによって所有され、ここに引用により援用される、アルゼンチン特許ＡＲ  ０３２７５  Ｂ１、およびその米国対応特許第５，８７３，３７４号に従った、シラミ寄生症の治療のための櫛の正面図である。
【図２】図１の櫛の針または歯の遠位端の詳細拡大図である。
【図３】図１の櫛のような櫛の針または歯であるものの、それらの製造コストを削減するために遠位端の先細または先細の端が除去され、その機能効率が損なわれた仮想の針または歯の詳細拡大図である。
【図４】本発明の櫛の好ましい一実施形態の正面図である。
【図５】本発明の櫛の別の好ましい実施形態の正面図である。
【発明を実施するための形態】
【００１７】
発明の詳細な説明
ここで図面を参照して、この発明は、本発明と同じ発明者らおよび出願人らのアルゼンチン特許ＡＲ  ０３２７５  Ｂ１に開示された種類のものであり得る、および、図１に示される、シラミ寄生症の治療のための櫛からなることが見て分かる。概して参照符号１で示されたこの種の櫛は把持柄２を含み、この柄２には、柄２から互いに平行に延在する複数の歯３が装着されている。好ましくは、およびこの発明について限定することなく、複数の歯３は、たとえば、アルゼンチン特許の櫛において効率的であることがすでに証明された距離である５０μｍ〜１００μｍの距離を保持する。本発明の櫛の場合、特にこの種の櫛が使用され得る毛髪の種類の多様性を考慮すると、５０μｍ〜２００μｍの離隔がシラミおよび卵の除去と毛髪の清浄との双方において有用であることを見出して、歯の間の距離の範囲が拡張されている。また好ましくは、歯または針の全長は４０〜８０ｍｍの範囲にあってもよく、柄の外側の有用な長さは２０〜６０ｍｍの範囲にあってもよい。上述の特許では、歯または針には、毛髪上に存在するシラミおよび卵を保持して引きずるための凹凸手段が設けられる。これらの手段はとりわけ、前記歯の各々の少なくとも１つの長手方向断面の表面上に規定された複数の連続する溝または谷によって形成され得る。引用された特許では、および図２により良好に示されるように、針または歯３の遠位端４は、頭皮への損傷を避けるように、および毛髪が歯３の間の空間５に入ることを容易にするように、好ましくは滑らかな円錐状で終端される。
【００１８】
なお、本発明の概念は、歯の各々の少なくとも１つの長手方向部分に沿った螺旋状または円周方向の溝または谷のパターン６、もしくは、溝、樋または谷の任意の種類のパターンまたは設計を有する、上述の特許の櫛に適用され得る。ただし、これらは、患者またはユーザの毛髪に付着するシラミ、卵、および異物を捕らえて引きずるためのトラップを形成するよう意図されたものであるとする。しかしながら、この発明の概念は、歯または針が滑らかである図１の櫛のような櫛にも適用され得る。歯は互いからたとえば５０μｍ〜２００μｍの距離だけ離隔されてもよく、上述のように溝などの凹凸手段を有する歯が使用される場合、前記円周方向溝は互いから０．５ｍｍ〜４ｍｍの距離だけ離隔され、前記螺旋溝は０．５ｍｍ〜４ｍｍの螺旋空間を有していてもよい。好ましくは、いずれの場合も、螺旋状または円周方向の列間隔が０．２ｍｍ未満であってはならない。
【００１９】
先行技術の櫛の歯３の先細の端４については、それらは、作業および時間、ならびに特殊機械の使用を課し、それは結局、重大なコストを表わす。歯または針３は、機械によってロールワイヤから定められた長さに切断され、いったん切断されると、歯は、一方端である端４を図２に示されるように丸みを帯びた円錐状にするように仕上げなければならない別の機械に取り込まれる。説明したように、円錐は、毛髪が歯の間の空間に入ることを可能にするために不可欠である。端４のこの仕上げの時間、作業およびコストを回避したければ、単に端４を仕上げないままにしておくべきであり、それは、図３に示され、参照符号７で示されるような、歯３の端を尖っていないままにする仮想の状況である。もちろん、仕上げがワイヤの切断から生じる切断縁を示さない場合、それは使用されてもよく、頭皮への損傷はまったく予想されないであろう。しかしながら、達成できないことは、歯の間に残された、たとえば５０μｍ〜２００μｍ、または、さらに悪いことには５０μｍ〜１００μｍという減少した空間に毛髪が入ることである。
【００２０】
本発明は、歯の端を先細にすることなく、または円錐状にすることなく、尖っていないままにして、製造コストを著しく削減するものの、それにもかかわらず、この発明の実施形態のうちの１つによれば、毛髪が歯の間の空間に入ることを可能にするようにし、さらに、この発明の別の実施形態によれば、頭皮をより良好に保護して、上述の問題を正確に解決する。実施形態は、図４および図５に関して以下に言及される。
【００２１】
この発明の実施形態を識別するために、１０からの参照番号が、図１〜３の櫛の参照符号との混同を避けるために使用されるであろう。図４に示されたこの発明の好ましい一実施形態によれば、概して参照符号１０によって示された櫛は、複数の歯または針１２が突出する把持柄１１を含み、複数の歯または針１２は、前記柄１１で隠され保持されたそれぞれの近位端と、概して参照符号１３によって示された自由な遠位端とを有する。
【００２２】
この発明の概念によれば、歯１２は、少なくとも２つの群、またはより多くの群に区別され、このため、第１の複数の歯１４と第２の複数の歯１５とを形成し、第１の複数の歯１４は第２の複数の歯１５と交互になっており、前記第１の複数の歯１４は前記第２の複数の歯１５よりも長く、そのため、第１の複数の歯の遠位端１６は第２の複数の歯の遠位端１７を越えて突出する。
【００２３】
図４の実施形態によれば、第１の複数の歯１４および第２の複数の歯１５は、尖っていない遠位端を有する。このようにして、円錐端を機械加工して仕上げる高価な作業が回避されるが、すべての端が尖っていないという事実は、図３の歯であれば説明したように起こり得るような、毛髪が歯の間の空間に入ることへの影響を及ぼさない。実際、端１６および１７が異なる距離にあることで、それらの間に空間が生成され、それは毛髪が入ることを容易にする。複数の歯１４、１５の双方の尖っていない端がむき出しのままにされ、低コストの研磨で若干仕上げられ得るとしても、好ましくは、尖っていない端１６は、その構造および形状によって頭皮を傷めない材料の挿入物１８でコーティングされる。挿入物１８は好ましくは丸みを帯び、プラスチック、ポリマー、樹脂、セラミック、および数えきれないほど多くの低コストで適用が容易な材料といった、さまざまな材料によって形成され得る。
【００２４】
櫛は、可変数の歯または針を有し得るが、通常、約３０個の歯が普通である。この場合、第１および第２の複数の歯は各々、１５個の歯を含むであろう。長い方の歯は短い方の歯よりも約３ｍｍ長いかもしれず、図示されるように交互に配置されるであろう。針、歯またはスパイクは、直径が１．２５ｍｍ、間隔が約０．１ｍｍまたは０．２ｍｍのスチールで作られてもよい。
【００２５】
上述のように、この発明は、完全に滑らかな歯を有する櫛、または、毛髪に存在するシラミおよび卵を保持して引きずるための凹凸手段を有する歯を提供する櫛に適用され得る。前記凹凸手段は、前記歯の各々の少なくとも１つの長手方向断面の表面上に規定された複数の連続する溝または谷によって形成されてもよい。前記溝は、歯の周りで円周方向に延在してもよく、０．５ｍｍ〜４ｍｍの距離だけ間隔をあけてもよい。または、それらは、歯の周りで螺旋形状で延在してもよく、前記螺旋のピッチは、０．５ｍｍ〜４ｍｍの寸法を有する。
【００２６】
図５の実施形態では、櫛は、より長い第１の複数の歯１４の挿入物１８が含まれていない点を除き、図４に示される発明と同じ特徴を取り入れている。この場合、短い方の歯および長い方の歯の双方が、尖っていない端を有する。このため、短い方の歯は尖っていない端１７を有し、長い方の歯１４の端１６は尖っていないかまたは頭皮を傷めないように十分に丸みを帯びている。尖っていないかまたは丸みを帯びた仕上げはもちろん、円錐状の仕上げよりも安価である。
【００２７】
製造コストをさらに削減することが依然として望まれる場合、短い方の歯の端は前述の手法のいずれによっても仕上げられず、切断後そのままにされてもよい。なぜなら、それらは頭皮と接触しないためである。
【００２８】
従来の櫛と比べて、費用効果が常により良好である。なぜなら、尖っていない、または挿入物を用いる完全な仕上げが、最も長い第１の複数の歯についてのみ行なわれ、それにより、長い方の歯の間の毛髪用の大きい経路、毛髪の清浄とシラミおよび卵の除去とを行なう歯の間の空間に通じる経路を規定する際に、この発明の特徴を保つためである。尖っていない場合でも、または挿入物を用いる場合でも、頭皮は保護される。特に後者の場合、本発明の櫛は、卵を保持するかまたは毛髪を清浄するために間隔をあけた一組の歯または針を有しており、針の間の距離が上述のように小さくても、針の新しい構成は、頭皮に「優しい」端が設けられた針の間に毛髪が入ることを可能にし、それは、頭皮が病気であったり怪我や損傷などがある場合でも、あらゆる頭皮で針を使用できるようにする。
【００２９】
このようにして、櫛の効率および有効性を損なうことなく、この発明は、著しくより低い製造コストで櫛を得ることをもたらす。
【図１】
2020534114.tif 000003
【図２】
2020534114.tif 000004
【図３】
2020534114.tif 000005
【図４】
2020534114.tif 000006
【図５】
2020534114.tif 000007
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
ユーザの毛髪からシラミおよび／または卵を取って除去することによる、シラミ寄生症の治療のための櫛であって、複数の歯が突出する把持柄を有する種類の櫛を含み、前記櫛は、
前記歯が、前記柄で保持された近位端と、自由な遠位端とを有し、前記歯は、第１の複数の歯と第２の複数の歯とに区別され、第１の複数の歯は第２の複数の歯と交互になっており、前記第１の複数の歯は前記第２の複数の歯よりも長く、そのため、第１の複数の歯の遠位端は第２の複数の歯の遠位端を越えて突出し、前記第１および第２の複数の歯の前記歯は約１．２５ｍｍの直径を有し、前記歯は互いから０．０５ｍｍ〜０．２ｍｍの距離だけ離隔されることを特徴とする、櫛。
【請求項２】
前記第１および第２の複数の歯は、尖っていない遠位端を有することを特徴とする、請求項１に記載の櫛。
【請求項３】
前記第１の複数の歯は、丸みを帯びた挿入物で仕上げられた遠位端を有することを特徴とする、請求項２に記載の櫛。
【請求項４】
前記丸みを帯びた挿入物は、プラスチック、ポリマー、樹脂、またはセラミックから選択された材料の挿入物であることを特徴とする、請求項２に記載の櫛。
【請求項５】
前記歯には、毛髪に存在するシラミおよび卵を保持して引きずるための凹凸手段が設けられることを特徴とする、請求項１〜４のいずれか１項に記載の櫛。
【請求項６】
前記凹凸手段は、前記歯の各々の少なくとも１つの長手方向断面の表面上に規定された複数の連続する溝または谷によって形成されることを特徴とする、請求項５に記載の櫛。
【請求項７】
前記溝は、歯の周りで円周方向に延在し、互いから０．５ｍｍ〜４ｍｍの距離だけ離隔されることを特徴とする、請求項６に記載の櫛。
【請求項８】
前記溝は、歯の周りで螺旋状に延在し、前記螺旋の通路は、０．５ｍｍ〜４ｍｍの寸法を有することを特徴とする、請求項６に記載の櫛。
【国際調査報告】
2020534114.tif 000008
2020534114.tif 000009
2020534114.tif 000010
2020534114.tif 000011
2020534114.tif 000012
2020534114.tif 000013
2020534114.tif 000014
2020534114.tif 000015